(57)【特許請求の範囲】
【請求項１】
複数の副搬送部分から入れ込まれる薄片を主搬送路に合流させて搬送する合流搬送部分と、前記合流搬送部分から入れ込まれる前記薄片を前記主搬送路に沿って搬送する主搬送部分とを設けるとともに、前記合流搬送部分と前記主搬送部分とにおける搬送を手動で駆動する手動つまみを設けた薄片搬送装置であって、
各部分に対する配線類を前記合流搬送部分の上面側を経て配線することにより、前記配線の迂回を低減する配線迂回低減手段と、
常時は前記手動つまみを覆い、前記手動の際には前記手動つまみを露呈する構造の覆体を前記合流搬送部分の上面に設けて、前記配線類と前記手動つまみとの間に前記覆体を介在させることにより、前記配線類と前記手動つまみとの絡み付きを防止する絡み付き防止手段と
を具備することを特徴とする薄片搬送装置。
【請求項２】
前記覆体の一端側と前記上面との間に突起と入込穴とによって停留させる停留部分を設けるとともに、前記覆体の他端側を支点に前記停留に抗して前記覆体を回動することにより前記露呈を行わせる停留露呈手段を付加したことを特徴とする請求項１記載の薄片搬送装置。
【請求項３】
前記覆体を透明または半透明な材質で形成するとともに、前記覆体における前記回動の先行側を閉塞状に形成し、後行側を開口状に形成したことを特徴とする請求項２記載の薄片搬送装置。
【請求項４】
請求項１から請求項３のいずれかに記載の薄片搬送装置を具備することを特徴とするパチンコ台島装置。
【発明の詳細な説明】
【０００１】
【発明の属する技術分野】
この発明は、複数の入口から入れ込まれた紙幣のような薄片を所定の経路方向に搬送する薄片搬送装置ならびに、その利用装置、例えば、複数台のパチンコ遊技機とその遊技球を貸付対価として入れ込まれた紙幣などを搬送する薄片搬送装置を設けたパチンコ台島装置などに関するものである。
【０００２】
【従来の技術】
パチンコ遊技機、または、パチンコ遊技機のゲート部分に跳ね返し機能やスロットマシン機能を設けたパチンコ・スロット遊技機などの遊技機（この発明では、これらの遊技機を総称して、パチンコ台という）を、図４のように複数台配置して、１つのブロック状に構成したものをパチンコ台島装置５００という、このパチンコ台島装置５００は、パチンコ店の内部において、あたかも複数の「島」を配置したように見えるので、通称を「島」とも呼ばれている。
【０００３】
なお、以下の図において、同一符号で示す部分は、いずれかの図において説明する同一符号の部分と同一の機能をもつ部分である。また、図中のごく太い線の部分は、その部分の端面または断面を略して画いた部分である。また、この発明において、部材とは、各構成部分を構成している構成材をいうものである。
【０００４】
そして、図４のように、パチンコ台の遊技に使用する遊技球の貸付対価として入れ込まれた紙幣、伝票、カード類などの薄片１００を搬送するための薄片搬送装置３００をパチンコ台島装置５００に組み付けた構成が周知である。
【０００５】
図４において、パチンコ台島装置５００には、複数台のパチンコ台Ｂを前列側と後列側とに分けて配置するとともに、パチンコ台Ｂ間の所要箇所に、パチンコ台Ｂに使用する遊技球、つまり、パチンコ玉を貸付けるための球貸装置（装置全体は図示せず）に入れ込まれた薄片１００を主搬送路Ｍにための副搬送路Ｓの部分を１つのブロック状に構成した副搬送部分Ｃを配置してある。なお、以下の説明において、上流側または下流側とは主搬送路Ｍにおける薄片１００の流れにおける上流側または下流側をいう。
【０００６】
また、前列側のパチンコ台Ｂと後列側のパチンコ台Ｂとの間の空間部分に主搬送路Ｍを構成する１つの主搬送路部分３００Ａを配置してあり、副搬送部分Ｃからの薄片１００を主搬送路部分３００Ａにより搬送して、例えば、主搬送路Ｍの終端に設けた収納箱１１０に薄片１００を収納する。
【０００７】
ここで、前列側と、後列側との区別は、構成を分かり易く説明するためのものであって、店内の配置などに関連づける意味のものではない。また、パチンコ台の列を前列側または後列側のみで構成したものも周知である。なお、前側と後側とは、構成を分かり易くするためのものであって、装置が配置される状態との関係を言うものではない。
【０００８】
そして、パチンコ台Ｂの大きさなどの異なりに対する対応や、現場での薄片搬送装置３００の組み付けの容易化などのために、図５〜図１０のような構成（以下、第１従来技術という）が周知である。
【０００９】
図５において、薄片搬送装置３００は、主搬送路Ｍと副搬送路Ｓの合流箇所をブロック状にユニット化して構成した合流搬送部分２と、各合流搬送部分２の間に配置される主搬送路Ｍの箇所をブロック状にユニット化して構成した主搬送部分４とに分けて配置することにより、主搬送部分４の長さＬ３のみを変更するだけで、各副搬送路Ｓの間の距離Ｌ１の変化に対応し得るように構成してある。なお、長さＬ２は副搬送部分Ｃの間の長さ、例えば、パチンコ台Ｂの長さである。
【００１０】
また、パチンコ台島装置５００の幅Ｗが異なった場合、例えば、パチンコ台Ｂの背面側に設けたパチンコ台に付随する動作機構部分（図示せず）の奥行きが異なることによって幅Ｗが変わったり、または、パチンコ店の室内通路などの都合などによって幅Ｗが変わったりする。
【００１１】
このため、副搬送部分Ｃと合流搬送部分２との間に、薄片１００を案内して橋渡しをするための案内導管８を別体にして設けておき、案内導管８の長さＬ５を変更するだけで、幅Ｗの変化に対応させている。そして、具体的な細部の構成は、例えば、図６〜図１０のように構成してある。
【００１２】
図６において、副搬送部分Ｃにおける搬送構成を、ベルトＣ３ａ・Ｃ３ｂのように、対向して配置した同一速度で送行する２つの無端状のベルトの間に薄片１００を挟み込んで搬送する機構（以下、対向ベルト搬送機構という）によって構成し、また、内導管８から薄片１００が合流搬送部分２に取り込む取込口２Ｃの部分の内側に、対向ローラ７１Ａ・７１Ｂを配置して積極的に取り込むようにした構成してある。
【００１３】
そして、対向ローラ７１Ａ・７１Ｂのうちの一方のローラ７１Ａの軸７１ａを後記の駆動モータ２６（図示せず）と連動する連動機構（図示せず）によって駆動するとともに、他方のローラ７１Ｂをばね７３で押して、ローラ７１Ｂをローラ７１Ａに押し付けるようにしている。
【００１４】
主搬送部分４における搬送構成も同様にベルト４５Ａ・４５Ｂによる対向ベルト搬送機構によって構成してあり、主搬送部分４の対向ベルト搬送機構４５Ｂ・４５Ｂによるベルト伝動構成４Ｇは、図７・図８のような伝動機構によって駆動している。
【００１５】
図７・図８において、ベルト伝動構成４Ｇは、合流搬送部分２の歯車伝動機構２Ｇの底部側の保持板２ｚに配置した駆動用の電動機、すなわち、駆動モータ２６により歯車２６ａを介して回転させられる歯車２９〜２９ｄと連動する２つの歯車４６ａ・４６ｂの軸に設けた各駆動側プーリ４３Ａ・４３Ｂによってベルト４５Ａ・４５Ｂが駆動されている。
【００１６】
そして、対向ベルト搬送機構４５Ａ・４５Ｂにより従動される従動側プーリ４４Ａ・４４Ｂを次順の合流搬送部分２に近接した端部の位置に配置することにより、次順の合流搬送部分４に入れ込むようにしてある。したがって、駆動用の電動機、すなわち、駆動モータ２６は、合流搬送部分２と主搬送部分４との各搬送における伝動機構を駆動する駆動源になっている。
【００１７】
なお、ベルト４５Ａ・４５Ｂの対向部分４２とベルトＣ３ａ・Ｃ３ｂの対向部分４２Ｂは、薄片１００が入り込む程度のごく僅かの隙間を設けるか、または、殆ど接触する状態になっている。
【００１８】
また、副搬送部分Ｃの対向ベルト搬送機構Ｃ３ａ・Ｃ３ｂの駆動構成は、これらのベルトを掛け渡したプーリＣ１ａ・Ｃ１ｂまたはプーリＣ２ａ・Ｃ２ｂを副搬送部分Ｃの内部に設けた上記の球貸装置（図示せず）の駆動モータ（図示せず）によって駆動している。
【００１９】
副搬送部分Ｃの対向ベルト搬送機構Ｃ３ａ・Ｃ３ｂは、薄片入口Ｃ１に設けた案内片Ｃ１Ａと、薄片１００を送出するための薄片導出口Ｃ２の部分を残して、適宜の保護覆Ｃ３で囲んであり、また、主搬送部分４の対向ベルト搬送機構４５Ａ・４５Ｂは、合流搬送部分２から送り込まれる薄片１００を取り込む側の端部に設けた案内片５９Ａと、搬送した薄片１００を次順の合流搬送部分２に送り込む側の端部に設けた案内片５９Ｂとの部分を残して、適宜の保護覆４Ａで囲んである。
【００２０】
副搬送部分Ｃから入れ込まれた薄片１００に対する合流搬送部分２での搬送構成は、薄片１００を曲面を対向させた案内片２３Ａ１・２３Ａ２で案内するとともに、下流側の案内片２３Ａ１の途中部分に配置したローラ２５Ａを薄片１００の片面に接しながら搬送して下流側の主搬送部分４に入れ込んでいる。この搬送構成は反対側の副搬送部分Ｃに対しても同様に対象形に配置してある。
【００２１】
上流側の主搬送部分４から送り込まれた薄片１００に対する合流搬送部分２での搬送構成は、平面を対向させた案内片２３Ｂ１・２３Ｂ２で案内するとともに、対向して接するように配置した２つのローラ（この発明において、対向ローラという）２４Ａ・２４Ｂで薄片１００の両面を挟みながら搬送して下流側の主搬送部分４に入れ込むようにしている。そして、合流搬送部分２は、所要の部分、例えば、案内片２３Ａ１・２３Ａ２、案内片２３Ｂ１・２３Ｂなど部分を残して、適宜の保護覆２Ａで囲んである。
【００２２】
合流搬送部分２の機構部分を保持する部分は、図７のように、上下に配置した各保持板２ｚを適宜の箇所に配置した支柱（図示せず）で固定した枠体２ｙで構成してあって、上記の各案内片は、上下に対称に形成したものを保持板２ｚに固定するか、または、保持板２ｚと一体に形成してあり、また、各ローラの軸は保持板２ｚに配置した軸受（図示せず）によって保持してある。
【００２３】
なお、各ローラの軸は、各ローラの符号における末尾の英文字を小文字に変更した符号の軸になっている。また、図７において、歯車２７〜２７Ｂ・２８Ａ・２８Ｂの部分も、歯車２９〜２９Ｄと同様に合流搬送部分２の各ローラの軸を駆動するための伝導機構部分である。そして、各ベルトは所要の幅をもつ平ベルトで構成してある。
【００２４】
そして、主搬送部分４は、図８のように、合流搬送部分２に対して着脱可能に構成してあり、装着の際には、主搬送部分４に設けた案内片５９Ｂを合流搬送部分２の案内片の部分に入れ込ませるとともに、主搬送部分４の両端の底面側を合流搬送部分２から張り出した受止具２ａ・２ｂで保持するとともに、主搬送部分４の上面側から張り出した掛止具４７の穴４７Ａに、合流搬送部分２の上面側に設けた突起３０を入れ込んで保持させている。
【００２５】
また、合流搬送部分２・主搬送部分４・案内導管８は、具体的には、図９のように構成してあり、案内導管８は、管内８ａの部分で薄片１００、例えば、紙幣の搬送を案内するとともに、副搬送部分Ｃの薄片導出口Ｃ２に入れ込む部分には、横向きの掛け爪８２・８３と、位置決め用フランジ８４とを設けておき、薄片導出口Ｃ２に押し込むだけで案内導管８を固定できるように構成してあり、また、合流搬送部分２の取込口２Ｃに入れ込む部分には、対向ローラ７１Ａ・７１Ｂの上下に差し込むための差込部分８１を設けて構成してある。
【００２６】
ここで、合流搬送部分２の上側保護覆２１の上面側に突出させて設けた手動つまみ２７Ｃは、薄片１００が主搬送部分４・合流搬送部分２などの箇所で行き詰まって搬送不能になったときに、手動で取り出すための「つまみ」であり、この取り出しは、駆動モータ２６の電源を遮断して搬送を不動作状態にするとともに、例えば、後記の図１７のように、保護覆４Ａを開いた状態で、手動つまみ２７Ｃを逆回転・正回転させて、薄片１００を取り出し易い箇所に移動して抜き取るように操作する。
【００２７】
そして、副搬送部分Ｃと合流搬送部分２との固定は、図１０のように、前側の固定用部材３２Ｘと後側の固定用部材３２Ｙとを副搬送部分Ｃと合流搬送部分２との間に介在させて、取付ねじ（図示せず）により固定している。
【００２８】
ここで、パチンコ台島装置５００は、具体的には、例えば、図１０のように、現場で組み上げられており、薄片１００、例えば、紙幣の副搬送部分Ｃは、下方の硬貨の副搬送部分Ｄ・球体送出部分Ｅと一体に組み合わされた玉貸用部分Ｆとして構成してあり、紙幣１００または硬貨（図示せず）を入れ込むと、その金額に対応する遊技球（図示せず）を送出して、パチンコ台Ｂの遊技者に提供するように構成してある。
【００２９】
そして、玉貸用部分Ｆは、主として、パチンコ台Ｂの間に配置されているので、台間機とも呼ばれている。なお、副搬送部分Ｃには、図１６のように、外枠Ｃ１１Ａを設けている構成による場合と、外枠Ｃ１１Ａを設けていない構成による場合とがある。なお、この発明において、外枠Ｃ１１Ａは副搬送部分Ｃの一部に属するものとし、副搬送部分Ｃは外枠Ｃ１１Ａと本体部分Ｃ１１Ｂとで構成されているものとする。
【００３０】
上記の第１従来技術の構成では、案内導管８を設けているが、案内導管８を設けない構成（以下、第２従来技術という）も周知であり、また、案内導管８・対向ローラ７１Ａ・７１Ｂを設けない構成（以下、第３従来技術という）も周知である。
【００３１】
さらに、上記の構成では、各合流搬送部分２に、例えば、図７のような駆動モータ２６を配置して構成しているが、これらのうちの１つの合流搬送部分のみに１つの駆動用モータ２６を設けて、すべての合流搬送部分と主搬送部分を連動駆動させる構成（以下、第４従来技術という）が周知である。
【００３２】
【発明が解決しようとする課題】
上記の第１従来技術〜第４従来技術の構成による薄片搬送装置３００では、例えば、図１０のように、上方に配置した制御部分３４から、信号線や電力線など線類（この発明において、配線類という）３４Ａを合流搬送部分２の下方に配置した駆動モータ２６の端子部分２６Ａなどに配線している。
【００３３】
さらに、図５のように間隔を置いて配置した副搬送部分Ｃ・合流搬送部分２などの各部分の間にも、例えば、図１０のように、同様の配線類３８を配線している。
【００３４】
また、上記の第１従来技術〜第４従来技術の構成によるパチンコ台島装置５００では、上記の配線類３４Ａを薄片搬送装置３００の下方に配置した硬貨搬送装置２００の駆動モータ２１０の端子部分２１１にも配線しており、さらに、上記の配線類３８を薄片１００の副搬送部分Ｃを含む各玉貸機Ｆに設けた硬貨の副搬送部分Ｄ・球体送出部分Ｅ・パチンコ台Ｂなどの各部分にも配線している。
【００３５】
そして、これらの配線類３４Ａ・３８は、薄片搬送装置３００の各動作部分による損傷を避けるために、こうした動作部分を避けるように迂回した配線にしているため、配線類３４Ａ・３８の経路が複雑化させられているので、配線材料と配線作業とが複雑・高価にならざるを得ないという不都合がある。
このため、こうした不都合をなくした薄片搬送装置ならびにその利用装置、例えば、パチンコ台島装置の提供が望まれているという課題がある。
【００３６】
【課題を解決するための手段】
この発明は、上記のような
複数の副搬送部分から入れ込まれる薄片を主搬送路に合流させて搬送する合流搬送部分と、上記の合流搬送部分から入れ込まれる上記の薄片を上記の主搬送路に沿って搬送する主搬送部分とを設けるとともに、上記の合流搬送部分と上記の主搬送部分とにおける搬送を手動で駆動する手動つまみを設けた薄片搬送装置において、
各部分に対する配線類を上記の合流搬送部分の上面側を経て配線することにより、上記の配線の迂回を低減する配線迂回低減手段と、
常時は上記の手動つまみを覆い、上記の手動の際には上記の手動つまみを露呈する構造の覆体を上記の合流搬送部分の上面に設けて、上記の配線類と上記の手動つまみとの間に上記の覆体を介在させることにより、上記の配線類と上記の手動つまみとの絡み付きを防止する絡み付き防止手段と
を設ける第１の構成と、
【００３７】
上記の第１の構成において、
上記の覆体の一端側と上記の上面との間に突起と入込穴とによって停留させる停留部分を設けるとともに、上記の覆体の他端側を支点に上記の停留に抗して上記の覆体を回動することにより上記の露呈を行わせる停留露呈手段
を設ける第２の構成と、
【００３８】
上記の第１の構成・第２の構成において、
上記の覆体を透明または半透明な材質で形成するとともに、上記の覆体における上記の回動の先行側を閉塞状に形成し、後行側を開口状に形成した第３の構成と、
【００３９】
パチンコ台島装置において、上記の第１の構成〜第３の構成による薄片搬送装置を設けた第４の構成と
により上記の課題を解決したものである。
【００４０】
【発明の実施の形態】
この発明の実施の形態として、上記の第１従来技術の構成に、この発明を適用した実施例を説明する。
【００４１】
【実施例】
以下、図１〜図３により第１実施例を説明する。この第１実施例の構成が上記の第１従来技術の構成と異なる箇所は次の箇所である。
【００４２】
第１には、配線類３４Ａ・３８を合流搬送部分２の上面側、すなわち、上側保護覆２１の上面側を経て配線するように変更することにより、配線類３４Ａ・３８の配線の迂回を低減して、極力、短い経路により配線類３４Ａ・３８を各部分に配線し得るようにした箇所である。
【００４３】
第２には、上記第１による配線では、配線類３４Ａ・３８と手動つまみ２７Ｃとが接触して絡みついてしまう可能性が大きいので、手動つまみ２７Ｃを覆う覆体３５を合流搬送部分２の上面側に設けて、配線類３４Ａ・３８と手動つまみ２７Ｃとの間に覆体３５を介在させることにより、配線類３４Ａ・３８と手動つまみ２７Ｃとの絡み付きを防止するように構成した箇所である。
【００４４】
そして、覆体３５を、常時は手動つまみ２７Ｃを覆い、手動つまみ２７Ｃを手動動作させるときには、覆体３５を、例えば、図１の〔覆／露呈構成〕のように、覆体３５を、矢印Ｒｘのように、回すように動作（この発明において、回動という）させて、手動つまみ２７Ｃが露呈されるようにし、手動つまみ２７Ｃを、例えば、作業員の指先３６で回転動作できるように構成した箇所である。
【００４５】
第３には、覆体３５の一端側、例えば、覆体３５から張り出させた張出片３５Ａの部分と合流搬送部分２の上面、例えば、上側保護覆２１の上面との間に、突起３５ａ・入込穴３５ｂによる停留部分３５ｘを設けるとともに、覆体３５の他端側、例えば、覆体３５から張り出させた張出部分３５Ｂの取付ねじ３５ｃを支点３５ｙにして、覆体３５を停留部分３５ｘによる停留に抗して回動することにより、手動つまみ２７Ｃを、〔露呈状態〕のように、露呈させるように構成した箇所である。
【００４６】
なお、〔露呈状態〕から〔覆状態〕に戻すには、矢印Ｒｘと逆方向に回動させて停留部分３５ｘを入れ込ませる位置に戻せばよいことは言うまでもない。また、停留部分３５ｘは、突起３５ａを上側保護覆２１の上面に設け、入込穴３５ｂを張出部分３５Ａに設けるように変更して構成してもよい。
【００４７】
第４には、覆体３５を、透明または半透明で靭性をもつ材質、例えば、ＡＢＳ樹脂財などで形成するとともに、覆体３５の回動（矢印Ｒｘ）の先行側を閉塞状に形成、例えば、壁部分３５Ｃに形成し、回動（矢印Ｒｘ）の後行側を開口状に形成、例えば、壁部を設けずに開口部分３５Ｄに形成することにより、手動つまみ２７Ｃの存在を分かり易くするとともに、作業員が開口部分３５Ｄをつまんで、停留部分３５ｘの引っ掛かりを外し易くした箇所である。なお、閉塞状にした部分、例えば、壁部分３５Ｃは、覆体３５を、上方からの押圧に対して補強する役目をしているものである。
【００４８】
つまり、この実施例の構成は、概括的には、第１には、
複数の副搬送部分Ｃから入れ込まれる薄片１００、例えば、紙幣を主搬送路Ｍに合流させて搬送する合流搬送部分２と、上記の合流搬送部分２から入れ込まれる上記の薄片１００を、上記の主搬送路Ｍに沿って搬送する主搬送部分４とを設けるとともに、上記の合流搬送部分２と上記の主搬送部分４とにおける搬送を手動で駆動する手動つまみ２７Ｃを設けた薄片搬送装置３００において、
【００４９】
各部分に対する配線類３４Ａ・３８を上記の合流搬送部分２の上面側、例えば、上側保護覆２１の上面側を経て配線することにより、上記の配線の迂回を低減する配線迂回低減手段と、
【００５０】
常時は上記の手動つまみ２７Ｃを覆い、上記の手動の際には上記の手動つまみ２７Ｃを露呈する構造の覆体３５を上記の合流搬送部分２の上面、例えば、上側保護覆２１の上面に設けて、上記の配線類３４Ａ・３８と上記の手動つまみ２７Ｃとの間に上記の覆体３５を介在させることにより、上記の配線類３４Ａ・３８と上記の手動つまみ２７Ｃとの絡み付きを防止する絡み付き防止手段と
を設けた上記の第１の構成を構成しているものである。
【００５１】
第２には、上記の第１の構成において、
上記の覆体３５の一端側、例えば、張出部分３５Ａと上記の上面、例えば、上側保護覆２１の上面との間に突起３５ａと入込穴３５ｂとによって停留させる停留部分３５ｘを設けるとともに、上記の覆体３５の他端側、例えば、取付ねじ３５ｃを支点３５ｙに、上記の停留に抗して上記の覆体３５を回動（矢印Ｒｘ）することにより上記の露呈、すなわち、手動つまみ２７Ｃの露呈を行わせる停留露呈手段
を設けた上記の第２の構成を構成しているものである。
【００５２】
第３には、上記の第１の構成・第２の構成において、
上記の覆体３５を透明または半透明な材質、例えば、ＡＢＳ樹脂などで形成するとともに、上記の覆体３５における上記の回動（矢印Ｒｘ）の先行側を閉塞状、例えば、壁部分３５Ｃに形成し、後行側を開口状、例えば、開口部分３５Ｄに形成した上記の第３の構成を構成しているものである。
【００５３】
第４には、上記の第１の構成〜第３の構成による薄片搬送装置３００を設けたパチンコ台島装置５００の構成は、概括的には、
パチンコ台島装置５００において、上記の第１の構成〜第３の構成による薄片搬送装置３００を設けた上記の第４の構成を構成していることになるものである。
【００５４】
そして、具体的には、図２のように構成した覆体３５を、図３のように、合流搬送部分２の上側保護覆２１の上面に取り付けることにより、上記の各構成を得るように構成したものである。
【００５５】
図２・図３において、停留部分３５ｘを構成する張出部分３５Ａの突起３５ａは、上側保護覆２１に設けた入込穴３５ｂに遊び嵌めできる半球状に形成することにより、作業員の指（図示せず）を開口部分３５Ｄに掛けて、図１の矢印Ｒｘの方向に押すと、停留部分３５が外れて回動できるように構成してある。なお、突起３５ａは円錐状、角錐状などの傾斜面をもった形状に変更してもよい。
【００５６】
また、支点３５ｙを構成する張出部分３５Ｂの取付穴３５ｅは、筒状部分ｕとフランジ状部分ｖとをもつカラー３５ｄを介在させて、取付ねじ３５ｃで上側保護覆２１のねじ穴３５ｆに固定するとともに、カラー３５ｄの筒状部分ｖの外径を取付穴３５ｅの内径よりも僅かに小さく、筒状部分ｖの高さを張出部分３５Ｂの厚さよりも僅かに大きくして、カラー３５ｄと取付穴３５ｅとを遊び嵌め構成にすることにより覆体３５の回動（矢印ＲＸ）を可能にしてある。
【００５７】
〔変形実施〕
この発明は次のように変形して実施することを含むものである。
（１）覆体３５の全体の肉厚を厚くして形成することにより、閉塞部分、例えば、壁部分３５Ｃを除去して構成する。
【００５８】
（２）図１の〔覆／露呈構成〕に示したように、覆体３５を回動させて、手動つまみ２７Ｃの露呈状態での突起３５ａの位置にも、入込穴３５ｇを設けて、露呈状態でも、覆体３５を停留できるように構成する。なお、入込穴３５ｂを張出部分３５Ａに設け、突起３５ａを上側保護覆２１に設ける場合には、入込穴３５ｇを突起に変更して構成する。
（３）覆体３５を、図１の〔覆状態〕の形状と左右対称形または前後対称形に形成するとともに、その対称形に対応するように、支点３５ｙ・停留部分３５ｘ・３５ｇの位置を変更して構成する。
【００５９】
（４）覆体３５の材質を金属板、例えば、ステンレス鋼板などに変更して構成する。
（５）手動つまみ２７Ｃの露呈構成を、図３に示したように、覆体３５における閉塞部分３５Ｃ側の下縁部分３５ｚを支点にして、矢印Ｒｙの方向に開いて露呈するように変更して構成する。
（６）配線類３４Ａ・３８のうちの一部分のみを合流搬送部分２の上面側を経て配線するように変更して構成する。
（７）実施例・上記（１）〜（６）を第２従来技術〜第４従来技術の構成に適用して構成する。
【００６０】
【発明の効果】
この発明によれば、以上のように、各部分に対する配線類を合流搬送部分の上面側を経て配線することにより、配線の迂回を、極力、低減しているため、配線類の経路が簡便化されるので、配線材料と現場での配線作業とを簡便・安価にして、装置を安価に提供することができる。
【００６１】
また、合流搬送部分の上面側に配線類を配線しても、手動つまみを覆う覆体が配線類と手動つまみとの間に介在しているため、配線類と手動つまみとの絡み付きによる事故を防止することができるので、装置の保守労力を低減することができる。
【００６２】
さらに、パチンコ台島装置では、上記の現場での配線作業の簡便化によって、装置の設備期間を短縮でき、上記の保守労力を低減できるので、パチンコ店における稼働効率を向上させることができるなどの特長が得られる効果がある。
【図面の簡単な説明】
図面中、図１〜図３はこの発明の実施例を、また、図４〜図１０は従来技術を示し、各図の内容は次のとおりである。
【図１】全体構成部分断面斜視・要部構成平面図
【図２】要部部材構成三面図
【図３】要部構成分解状態斜視図
【図４】全体構成側面・横断平面図
【図５】要部構成横断平面図
【図６】要部構成横断平面図
【図７】要部構成・内部斜視図
【図８】要部構成組付状態・分解状態正面図
【図９】要部構成分解状態斜視図
【図１０】全体構成部分断面斜視図
【符号の説明】
２  合流搬送部分
２Ａ  保護覆
２Ｃ  取込口
２Ｇ  歯車伝動機構
２ａ  受止具
２ｙ  枠体
２ｚ  保持板
４  主搬送部分
４Ａ  保護覆
４Ｇ  伝動機構
８  案内導管
８ａ  管内
２１  上側保護覆
２３Ａ１・２３Ａ２  案内片
２３Ｂ１・２３Ｂ２  案内片
２４Ａ・２４Ｂ  対向ローラ
２５Ａ  ローラ
２６  駆動モータ
２６Ａ  動作用端子部分
２６ａ  歯車
２７〜２７Ｂ  歯車
２７Ｃ  手動つまみ
２８Ａ・２８Ｂ  歯車
２９〜２９ｄ  歯車
３０  突起
３２Ｘ  固定用部材
３２Ｙ  固定用部材
３４  制御部分
３４Ａ  配線類
３５  覆体
３５Ａ  張出片
３５Ｂ  張出部分
３５Ｃ  壁部分・閉塞部分
３５Ｄ  開口部分
３５ａ  突起
３５ｂ  入込穴
３５ｃ  取付ねじ
３５ｄ  カラー
３５ｅ  取付穴
３５ｇ  入込穴
３５ｘ  停留部分
３５ｙ  支点
３５ｚ  下縁ぶち
３６  指先
３８  配線類
４２  対向部分
４２Ｂ  対向部分
４３Ａ・４３Ｂ  駆動側プーリ
４４Ａ・４４Ｂ  従動側プーリ
４５Ａ・４５Ｂ  ベルト
４６ａ・４６ｂ  歯車
４７  掛止具
４７Ａ  穴
５９Ａ  案内片
５９Ｂ  案内片
７１Ａ・７１Ｂ  対向ローラ
７１ａ  軸
７３  ばね
８１  差込部分
８２・８３  掛け爪
８４  フランジ
１００  薄片
２００  硬貨搬送装置
２１０  駆動モータ
２１１  動作用端子部分
３００  薄片搬送装置
３００Ａ  主搬送路部分
５００  パチンコ台島装置
Ｂ  パチンコ台
Ｃ  副搬部分
Ｃ１Ａ  案内片
Ｃ２  薄片導出口
Ｃ３  保護覆
Ｃ１ａ・Ｃ１ｂ  プーリ
Ｃ２ａ・Ｃ２ｂ  プーリ
Ｃ３ａ・Ｃ３ｂ  ベルト
Ｃ１１Ａ  外枠部分
Ｃ１１Ｂ  本体部分
Ｄ  硬貨副搬送部分
Ｅ  球体送出部分
Ｆ  玉貸部分
Ｍ  主搬送路
Ｌ１  距離
Ｌ２  長さ
Ｌ３  長さ
Ｒｘ  回動方向
Ｒｙ  開き方向
Ｓ  副搬送路
Ｗ  幅
ｕ  筒状部分
ｖ  フランジ部分
【図１】
0004469105.tif 000002
【図２】
0004469105.tif 000003
【図３】
0004469105.tif 000004
【図４】
0004469105.tif 000005
【図５】
0004469105.tif 000006
【図６】
0004469105.tif 000007
【図７】
0004469105.tif 000008
【図８】
0004469105.tif 000009
【図９】
0004469105.tif 000010
【図１０】
0004469105.tif 000011